(57)【要約】【課題】情報処理手段と表示手段との表示画面サイズ仕様の差を抽出し、差分の画面を有効に活用することを目的とする。【解決手段】情報処理手段が生成する画像データの画面仕様と表示手段の画面仕様とから、表示のためのスケーリング倍率を算出し、該スケーリング倍率にしたがって生成画像データを拡縮処理してスケーリング画像データを生成し、拡縮処理の結果表示手段の画面に生じる残余の補助画面を抽出するとともに該補助画面に表示する補助画像データを生成し、該スケーリング画像データと該補助画像データとを合成して表示することを特徴とする。【選択図】      図１
2004170452.tif 000002
【特許請求の範囲】
【請求項１】
表示する画像データを生成する情報処理手段と、インターフェース手段と、表示手段とを備えた表示システムであって、
情報処理手段は、所定の画面仕様の画像データを生成する手段を備え、
生成画像データと、生成画像データの画面仕様を含む表示制御データとを出力し、
表示手段は、表示手段の画面仕様を出力するとともに、表示画像データを入力して表示し、
インターフェース手段は、該生成画像データの画面仕様と該表示手段の画面仕様とを参照してスケーリング倍率を算出するとともに、該生成画像データを該スケーリング倍率にしたがって拡縮処理してスケーリング画像データを生成する手段と、
拡縮処理の結果表示手段の画面に生じる残余の補助画面を抽出するとともに、表示制御情報を参照して該補助画面に表示する補助画像データを生成する手段と、
該スケーリング画像データと該補助画像データとを合成して表示画像データを生成する手段とを備えることを特徴とする表示システム。
【請求項２】
情報処理手段で生成する画像データを表示手段に表示する表示制御プログラムであって、
該情報処理手段で生成する画像データの画面仕様と該表示手段の画面仕様とを参照してスケーリング倍率を算出するステップと、
該生成された画像データを該スケーリング倍率にしたがって拡縮処理してスケーリング画像を生成するステップと、
拡縮処理の結果表示手段の画面に生じる残余の補助画面を抽出するとともに、該補助画面に表示する補助画像データを生成するステップと、
該スケーリング画像データと該補助画像データとを合成するステップとを有することを特徴とする表示制御プログラム。
【請求項３】
情報処理手段で生成する画像データを表示手段に表示する方法であって、
該情報処理手段で生成する画像データの画面仕様と該表示手段の画面仕様とを参照してスケーリング倍率を算出し、
該生成された画像データを該スケーリング倍率にしたがって拡縮処理してスケーリング画像を生成し、
拡縮処理の結果表示手段の画面に生じる残余の補助画面を抽出するとともに、該補助画面に表示する補助画像データを生成し、
該スケーリング画像データと該補助画像データとを合成して表示することを特徴とする表示方法。
【発明の詳細な説明】
【０００１】
【発明の属する技術分野】
本発明は、表示システムに関し、特にコンピュ―タ等の情報処理装置の、処理結果、及び状態の表示システムに関する。
【０００２】
【従来の技術】
コンピュータ等の情報処理装置が表示する情報には、情報処理装置における処理結果と、情報処理装置自身の動作環境等の状態情報とがある。情報処理装置は、この情報を当該装置に接続された表示装置に送出して表示する。
表示装置は、表示画面全体を有効に使って表示することが望ましいが、例えばＣＲＴ表示装置の場合、画面周辺近傍は表示歪みを補正することが困難なため、一般的には所定範囲の画面周辺近傍を未使用領域としている。
【０００３】
従来、多少の表示歪みがあっても問題とならないような情報、例えば情報処理装置からＣＲＴ表示装置を調整する際の調整情報の表示に、上記の未使用領域を使用する先行技術が開示されている（特許文献１参照）。
【０００４】
【特許文献１】
特開平９−５４５７２
また、同様の情報を表示する他の先行技術として、通常の処置結果表示に動作環境情報等を重畳して表示する装置が開示されている（特許文献２参照）。
【０００５】
【特許文献２】
特開平１１−１１９７５２
一方、液晶表示装置、ＰＤＰ表示装置、有機ＥＬ表示装置等、機械的な大きさの定まった表示セルの集合で画面を構成する表示装置は、画面周辺部であっても表示歪みを生じないため表示画面全体を有効に活用できるが、例えば図５に示すごとく、縦×横のドット数４８０×６４０（アスペクト比３：４）、あるいは縦×横のドット数１０２４×１２８０（アスペクト比４：５）という固有の画面サイズを有する。
【０００６】
しかし、情報処理装置で生成される画面サイズもまた、情報処理装置のオペレーティングシステム、あるいは各アプリケーションソフトウエア等で定められる固有の画面サイズを有する。例えば、あるオペレーティングシステムでは、図６に示すごとく、縦×横のドット数７６８×１０２４（アスペクト比３：４）である。
【０００７】
従来、このような情報処理装置と表示装置との間の異なる固有の画面サイズ（ドット数）の整合をとるため、図７に示すごとく、情報処理装置にスケーリング手段を設け、該スケーリング手段に表示装置の表示画面サイズを与えることで表示サイズを調整させ、情報処理装置で生成する画面サイズを表示装置固有の画面サイズに合わせることで対応している。
【０００８】
その一例を図８に示す。この例では、情報処理装置で生成する７６８×１０２４ドットの画像を、６４０／１０２４倍することで４８０×６４０ドットの画像とし、表示装置の画面全体に表示している。
しかし、情報処理装置で生成する画像のサイズが７６８×１０２４ドットで、表示装置の画面サイズが１０２４×１２８０ドットの場合のように、画面のアスペクト比が異なる場合には、以下にの問題を生ずる。
【０００９】
例えば、図９に示すごとく、生成した画像の縦横比を変えて画面全体に表示すると、情報処理装置で円を生成しても、表示装置の画面上では楕円となり、正しいイメージが得られない。
一般にはこの問題を避けるため、図１０に示すごとくアスペクト比を変えずにスケーリングして表示する。これにより、情報処理装置が表示しようとする図形と、表示装置の画面に表示された図形の相似性は保たれるが、表示装置の画面上には未使用の領域が残るという新たな問題を生じる。
【００１０】
【発明が解決しようとする課題】
上記従来技術の課題は、以下のように集約できる。
１．表示歪みが許容できない表示内容の場合は、特許文献１の技術は適用できない。
２．元の表示情報が隠されてしまってはならない表示内容の場合は、特許文献２の技術は適用できない。
３．情報処理装置で生成する画像と表示装置のアスペクト比が異なる場合には、表示装置の画面上には未使用の領域が残る。
【００１１】
本発明は、情報処理手段と表示手段との表示画面サイズ仕様の差を抽出し、差分の画面を有効に活用することを目的とする。
【００１２】
【課題を解決するための手段】
本発明は、表示する画像データを生成する情報処理手段と、インターフェース手段と、表示手段とを備えた表示システムであって、情報処理手段は、所定の画面仕様の画像データを生成する手段を備え、生成画像データと、生成画像データの画面仕様を含む表示制御データとを出力し、表示手段は、表示手段の画面仕様を出力するとともに、表示画像データを入力して表示し、インターフェース手段は、該生成画像データの画面仕様と該表示手段の画面仕様とを参照してスケーリング倍率を算出するとともに、該生成画像データを該スケーリング倍率にしたがって拡縮処理してスケーリング画像データを生成する手段と、拡縮処理の結果表示手段の画面に生じる残余の補助画面を抽出するとともに、表示制御情報を参照して該補助画面に表示する補助画像データを生成する手段と、該スケーリング画像データと該補助画像データとを合成して表示画像データを生成する手段とを備えることを特徴とする。
【００１３】
これにより情報処理手段が生成する画像の画面サイズを、表示手段の画面サイズにあわせてスケーリングし、スケーリングの結果生ずる残余の補助画面に、動作状態等の補助情報を表示することが可能となる。
【００１４】
【発明の実施の形態】
図１は本発明の実施例１を示し、図２は実施例１の処理の流れを示す。情報処理手段１１の画像生成手段１４は表示する画像データＳ２を生成する。情報処理手段１１は、生成した画像データＳ２と、生成した画像データのサイズ等の画面仕様を含む表示制御データＳ３とをインターフェース手段１２に出力する。
【００１５】
インターフェース手段１２のスケーリング手段１６は、表示制御データＳ３中の生成画像データ画面仕様と、表示手段１３の画面仕様データＳ１とを参照してスケーリング倍率を算出し、該スケーリング倍率にしたがって該生成された画像データＳ２を拡縮処理し、スケーリング画像Ｓ４を生成する。
一方、補助画像データ生成手段１５は、スケーリング手段１６と同様にして得られるスケーリング画像の画面仕様データと、表示画面仕様データＳ１とから残余の画面（補助画面）を抽出し、表示制御データＳ３に含まれる動作状態等の補助情報からなる補助画像データＳ５を生成する。
【００１６】
画像合成手段１７は、該スケーリング画像データＳ４と該補助画像データＳ５とを合成し、表示画像データＳ６として出力する。
なお、生成された画像データＳ２を拡縮してスケーリング画像データＳ４を生成する際の倍率は、通常は生成された画面仕様データと表示画面仕様データとから、生成された画像が表示手段の画面内に内接する倍率を算出して定めるが、外部から倍率を指定する手段を設け、指定された倍率を用いるとしても良い。
【００１７】
また、情報処理手段１１とインターフェース手段１２との間での、表示制御データＳ３の授受手段としては、例えば、Ｖｉｄｅｏ  Ｅｌｅｃｔｒｏｎｉｃｓ  Ｓｔａｎｄａｒｄｓ  Ａｓｓｏｃｉａｔｉｏｎが規格を定めた、ＤＤＣ（Ｄｉｓｐｌａｙ  Ｄａｔａ  Ｃｈａｎｎｅｌ）、あるいはＵＳＢ（Ｕｉｖｅｒｓａｌ  Ｓｅｒｉａｌ  Ｂｕｓ）を用いても良い。
【００１８】
さらに、図３の実施例２に示すごとく、インターフェース手段１２を情報処理手段１１に内蔵させるとしても良い。
これにより、図１０に示す未使用領域に、例えば、図４の表示例に示すごとく、画面上に電源状態、ディスクアクセス状態等を表示することが可能となる。
付記
（付記１）表示する画像データを生成する情報処理手段と、インターフェース手段と、表示手段とを備えた表示システムであって、情報処理手段は、所定の画面仕様の画像データを生成する手段を備え、生成画像データと、生成画像データの画面仕様を含む表示制御データとを出力し、表示手段は、表示手段の画面仕様を出力するとともに、表示画像データを入力して表示し、インターフェース手段は、該生成画像データの画面仕様と該表示手段の画面仕様とを参照してスケーリング倍率を算出するとともに、該生成画像データを該スケーリング倍率にしたがって拡縮処理してスケーリング画像データを生成する手段と、拡縮処理の結果表示手段の画面に生じる残余の補助画面を抽出するとともに、表示制御情報を参照して該補助画面に表示する補助画像データを生成する手段と、該スケーリング画像データと該補助画像データとを合成して表示画像データを生成する手段とを備えることを特徴とする表示システム。
【００１９】
（付記２）情報処理手段で生成する画像データを表示手段に表示する表示制御プログラムであって、該情報処理手段で生成する画像データの画面仕様と該表示手段の画面仕様とを参照してスケーリング倍率を算出するステップと、該生成された画像データを該スケーリング倍率にしたがって拡縮処理してスケーリング画像を生成するステップと、拡縮処理の結果表示手段の画面に生じる残余の補助画面を抽出するとともに、該補助画面に表示する補助画像データを生成するステップと、該スケーリング画像データと該補助画像データとを合成するステップとを有することを特徴とする表示制御プログラム。
【００２０】
（付記３）情報処理手段で生成する画像データを表示手段に表示する方法であって、情報処理手段は、所定の画面仕様の画像データを生成するとともに、該生成画像データと、該生成画像データの画面仕様を含む表示制御データとを出力し、インターフェース手段は、該生成画像データの画面仕様と該表示手段の画面仕様とを参照してスケーリング倍率を算出するとともに、該生成された画像データを該スケーリング倍率にしたがって拡縮処理し、拡縮処理の結果表示手段の画面に生じる残余の補助画面を抽出するとともに、該補助画面に表示する補助画像データを生成し、該スケーリング画像データと該補助画像データとを合成して表示することを特徴とする表示方法。
【００２１】
（付記４）画像データを入力する手段と、該画像データの画面仕様を参照する手段と、表示手段の画面仕様を参照する手段と、該生成画像データの画面仕様と該表示手段の画面仕様とを参照してスケーリング倍率を算出するとともに、該生成画像データを該スケーリング倍率にしたがって拡縮処理し、スケーリング画像データを生成する手段と、拡縮処理の結果表示手段の画面に生じる残余の補助画面を抽出するとともに、該補助画面に表示する補助画像データを生成する手段と、該スケーリング画像データと該補助画像データとを合成して表示画像データを生成する手段とを備えることを特徴とするインターフェース装置。
【００２２】
（付記５）表示画面の仕様を出力する手段と、表示画像データを入力する手段とを備えることを特徴とする表示装置。
（付記６）表示する画像データを生成する情報処理手段と、表示手段とを備えた表示システムであって、表示手段は、表示手段の画面仕様を出力するとともに、表示画像データを入力して表示し、情報処理手段は、所定の画面仕様の画像データを生成する手段と、インターフェース手段とを備え、インターフェース手段は、該生成画像データの画面仕様と該表示手段の画面仕様とを参照してスケーリング倍率を算出するとともに、該生成画像データを該スケーリング倍率にしたがって拡縮処理し、スケーリング画像データを生成する手段と、拡縮処理の結果表示手段の画面に生じる残余の補助画面を抽出するとともに、該補助画面に表示する補助画像データを生成する手段と、該スケーリング画像データと該補助画像データとを合成して表示画像データを生成する手段とを備えることを特徴とする表示システム。
【００２３】
【発明の効果】
以上説明したごとく、本発明により、情報処理手段と表示手段との表示画面サイズの差分（補助画面）を有効に活用することことが可能となり、従来の標準的なアスペクト比３：４、３：５等に囚われることなく、表示手段の設計自由度が増し、多彩な表示サイズの表示装置が可能になると共に、新たな補助画面を活用することで、多彩な画面表示が可能となる。
【図面の簡単な説明】
【図１】本発明の実施例１
【図２】本発明の処理の流れ
【図３】本発明の実施例２
【図４】本発明による表示例
【図５】表示装置の画面サイズ例
【図６】情報処理装置が生成する画面サイズ例
【図７】従来の処理例概要
【図８】スケーリング例１
【図９】スケーリング例２
【図１０】スケーリング例３
【符号の説明】
１１  情報処理手段
１２  インターフェース手段
１３  表示手段
１４  画像生成手段
１５  補助画像データ生成手段
１６  スケーリング手段
１７  画像合成手段
Ｓ１  表示画面仕様データ
Ｓ２  生成画像データ
Ｓ３  表示制御データ
Ｓ４  スケーリング画像データ
Ｓ５  補助画像データ
Ｓ６  表示画像データ
【図１】
2004170452.tif 000003
【図２】
2004170452.tif 000004
【図３】
2004170452.tif 000005
【図４】
2004170452.tif 000006
【図５】
2004170452.tif 000007
【図６】
2004170452.tif 000008
【図７】
2004170452.tif 000009
【図８】
2004170452.tif 000010
【図９】
2004170452.tif 000011
【図１０】
2004170452.tif 000012